(57)【特許請求の範囲】
【請求項１】
装置の外壁となる箱形のケーシングを備え、該ケーシングの外面に少なくとも操作部又は表示部を有する操作・表示部付き装置であって、
前記ケーシングの三壁面によって形作られるべき角部を切り欠いた形状の面であるコーナー面を備え、該コーナー面に少なくとも操作部又は表示部が設けられ、
前記コーナー面は、前記角部を切り欠いたケーシング本体の切欠部へ脱着可能に装着されると共に該切欠部を塞ぐコーナー部材に形成され、
前記ケーシング本体は、前記三壁面のうち二壁面によって形作られるべき直線状の稜線の中途部まで切り欠かれ、前記二壁面以外の壁面を形成する壁部材に設けられた第１の係合孔と、前記稜線の中途部であって前記ケーシングの内側に形成されて前記コーナー部材を受ける受部と、該受部に設けられた第２の係合孔とを備え、
前記コーナー部材は、一端部側に前記第１の係合孔へ外側から挿入することで係合するように突起された第１の係合突起と、他端部側に前記第２の係合孔へ係合するように前記第１の係合突起と同一方向へ突起された第２の係合突起とを備えることを特徴とする操作・表示部付き装置。
【請求項２】
前記コーナー面には、前記三壁面のうち二壁面によって形作られるべき直線状の稜線と実質的に平行に形成された平行面部と、該平行面部から前記稜線へ連続するように形成された傾斜面部とが設けられていることを特徴とする請求項１記載の操作・表示部付き装置。
【請求項３】
前記各係合突起は、前記各係合孔への挿入途中では弾性変形すると共に該各係合孔へ完全に挿入された際には復帰して抜け止めとなるように弾性材で形成された抜け止め片を備えることを特徴とする請求項１又は２記載の操作・表示部付き装置。
【請求項４】
前記第１の係合孔は天板の一部分である水平壁板部に設けられ、前記第２の係合孔は前記水平壁板部に平行に設けられた受板部に設けられ、前記各係合突起は前記各係合孔へ鉛直方向に挿入されることを特徴とする請求項１、２又は３記載の操作・表示部付き装置。
【請求項５】
前記コーナー部材は、複数の装着部品の形状に対応すべく、該装着部品の装着される部分の形状が一部を切除することで変更可能となるように設けられている切除部と、該切除部を切り離し容易に接続する接続部とを備えることを特徴とする請求項１、２、３又は４記載の操作・表示部付き装置。
【請求項６】
前記コーナー部材は、樹脂成形品であり、前記接続部はランナー状に形成され、該接続部の周囲にはニッパー等の切刃が挿入可能に空きスペースが設けられていることを特徴とする請求項５記載の操作・表示部付き装置。
【発明の詳細な説明】
【技術分野】
【０００１】
本発明は、装置の外壁となる箱形のケーシングを備え、該ケーシングの外面に少なくとも操作部又は表示部を有する操作・表示部付き装置に関する。
【背景技術】
【０００２】
操作・表示部付き装置には、業務用の機械装置或いは家庭用の電気製品等、種々の装置がある。例えば、コンプレッサーによって圧縮された圧縮気体の水分を除去する圧縮気体除湿装置にも、ケーシングの外面に操作部及び表示部が備えられている。なお、冷凍サイクルを用いた圧縮気体除湿装置では、圧縮気体を熱交換器によって冷媒と熱交換することで冷却し、結露水を発生させることによって除湿する。【０００３】
従来の圧縮気体除湿装置では、スイッチや圧力計等が配された操作・表示部が、六面体の箱型ケーシング（直方体の箱）の一壁面上に設けられている。
この場合、操作・表示部の配設スペースを確保するために、小型化することが難しいなど装置全体の設計に制約が生じ易い。また、操作・表示部が外壁の一壁面上に設けられるため、装置の設置方向についても制約が生じ易かった。さらに、一壁面上へ装着するために、枠体にスイッチや圧力計等を固定し、その枠体をネジ止めによって装着している。このため、操作・表示部の装着作業や、保守管理又は解体のための取り外し作業に手間がかかっていた。【０００４】
ところで、箱形のケーシングにおけるコーナー部分の処理形態として、「湾曲面構造」が本出願人によって開示されている（特許文献１参照）。
この湾曲面構造によれば、図９に示すように、角部にアールを形成した多角形の天板部５１及びこの天板部５１の各直線辺部から下方へ折曲形成した側板部５２を有するカバー体基部５０における相隣る離間した異方向の第一面部５２ａと第二面部５２ｂを構成する当該側板部５２同士を、湾曲部材５３により連結してなる湾曲面構造において、第一面部５２ａと第二面部５２ｂに、少なくとも一方が連結方向に長い孔部５４を形成するとともに、湾曲部材５３に、孔部５４の長手方向に対して直角方向に弾性変形し、当該弾性変形によって孔部５４に挿入するとともに、挿入によりストッパ部が孔部５４の縁部に係止する固定ボス部５５が設けられている。
【特許文献１】特許第３５９３６７７号公報（請求項１、第１図及び第５図）
【発明の開示】
【発明が解決しようとする課題】
【０００５】
操作・表示部付き装置に関して解決しようとする問題点は、操作・表示部の配設スペースを確保するために装置全体の設計に制約が生じ易い点や、操作・表示部を看視し易くするために装置の設置方向に制約が生じる点にある。
そこで本発明の目的は、装置全体の設計にかかる制約や装置の設置方向にかかる制約が生じにくい操作・表示部付き装置を提供することにある。
【課題を解決するための手段】
【０００６】
本発明は、上記目的を達成するために次の構成を備える。
本発明にかかる操作・表示部付き装置の一形態によれば、装置の外壁となる箱形のケーシングを備え、該ケーシングの外面に少なくとも操作部又は表示部を有する操作・表示部付き装置であって、前記ケーシングの三壁面によって形作られるべき角部を切り欠いた形状の面であるコーナー面を備え、該コーナー面に少なくとも操作部又は表示部が設けられていることを特徴とする。【０００７】
また、本発明にかかる操作・表示部付き装置の一形態によれば、前記コーナー面には、前記三壁面のうち二壁面によって形作られるべき直線状の稜線と実質的に平行に形成された平行面部と、該平行面部から前記稜線へ連続するように形成された傾斜面部とが設けられていることを特徴とすることができる。【０００８】
また、本発明にかかる操作・表示部付き装置の一形態によれば、前記コーナー面は、前記角部を切り欠いたケーシング本体の切欠部へ脱着可能に装着されると共に該切欠部を塞ぐコーナー部材に形成されていることを特徴とすることができる。【０００９】
また、本発明にかかる操作・表示部付き装置の一形態によれば、前記ケーシング本体は、前記三壁面のうち二壁面によって形作られるべき直線状の稜線の中途部まで切り欠かれ、前記二壁面以外の壁面を形成する壁部材に設けられた第１の係合孔と、前記稜線の中途部であって前記ケーシングの内側に形成されて前記コーナー部材を受ける受部と、該受部に設けられた第２の係合孔とを備え、前記コーナー部材は、一端部側に前記第１の係合孔へ外側から挿入することで係合するように突起された第１の係合突起と、他端部側に前記第２の係合孔へ係合するように前記第１の係合突起と同一方向へ突起された第２の係合突起とを備えることを特徴とすることができる。【００１０】
また、本発明にかかる操作・表示部付き装置の一形態によれば、前記各係合突起は、前記各係合孔への挿入途中では弾性変形すると共に該各係合孔へ完全に挿入された際には復帰して抜け止めとなるように弾性材で形成された抜け止め片を備えることを特徴とすることができる。
また、本発明にかかる操作・表示部付き装置の一形態によれば、前記第１の係合孔は天板の一部分である水平壁板部に設けられ、前記第２の係合孔は前記水平壁板部に平行に設けられた受板部に設けられ、前記各係合突起は前記各係合孔へ鉛直方向に挿入されることを特徴とすることができる。【００１１】
また、本発明にかかる操作・表示部付き装置の一形態によれば、前記コーナー部材は、複数の装着部品の形状に対応すべく、該装着部品の装着される部分の形状が一部を切除することで変更可能に設けられ、該切除部を切り離し容易に接続する接続部を備えることを特徴とすることができる。
また、本発明にかかる操作・表示部付き装置の一形態によれば、前記コーナー部材は、樹脂成形品であり、前記接続部はランナー状に形成され、該接続部の周囲にはニッパー等の切刃が挿入可能に空きスペースが設けられていることを特徴とすることができる。
【発明の効果】
【００１２】
本発明にかかる操作・表示部付き装置によれば、装置全体の設計にかかる制約や装置の設置方向にかかる制約が生じにくいという特別有利な効果を奏する。
【図面の簡単な説明】
【００１３】
【図１】本発明に係る操作・表示部付き装置の一形態を示す斜視図である。
【図２】本発明に係るケーシング本体の一部とコーナー部材を示す組立図である。
【図３】図１のコーナー部材の一形態を示す正面図である。
【図４】図１のコーナー部材の一形態を示す背面図である。
【図５】図１のコーナー部材の一形態を示す側面図である。
【図６】図１のコーナー部材の一形態を示す平面図である。
【図７】図１のコーナー部材の一形態を示す底面図である。
【図８】本発明に係るコーナー部材の切除部の一形態を示す正面図である。
【図９】従来の関連技術を説明する平面図である。
【符号の説明】
【００１４】
１０  ケーシング
１１  第１壁面
１１ａ  水平壁板部
１２  第２壁面
１２ａ  折曲部
１３  第３壁面
１３ａ  折曲部
１５  ケーシング本体
１６  稜線
１７  切欠部
１８  受板部
２０  コーナー面
２１  平行面部
２２  傾斜面部
２６  第１の係合孔
２７  第２の係合孔
３０  コーナー部材
３１  第１の係合突起
３２  第２の係合突起
３３  抜け止め片
４０  切除部
４１  接続部
４２  空きスペース
【発明を実施するための最良の形態】
【００１５】
以下、本発明にかかる操作・表示部付き装置について最良の形態の一例を添付図面（図１〜７）に基づいて詳細に説明する。図１は、操作・表示部付き装置の一例である圧縮気体除湿装置の外観を示す斜視図である。図２はケーシング本体の一部とコーナー部材を示す組立図である。また、図３〜７はコーナー部材を説明する正面、背面、側面、平面及び底面の各図である。
この操作・表示部付き装置は、図１に示すように、装置の外壁となる箱形のケーシング１０を備え、そのケーシング１０の外面に操作・表示部を有する。本形態のケーシング１０は、後述するコーナー部材３０を除いて金属板材を曲げ成形等して形作られ、直方体の六面のうち一面（側面）が開放した二つの箱体１５ａ、１５ｂの開放面（側面）同士を合わせた形態に設けられたケーシング本体１５によって構成されている。なお、本発明にかかる箱形のケーシング１０とは、本形態のような直方体に限らず、例えば断面がひし形の箱体や他の多角形状の立体の形態なども含まれる。【００１６】
２０はコーナー面であり、ケーシング１０の三壁面（第１壁面１１、第２壁面１２、第３壁面１３）によって形作られるべき角部を切り欠いた形状の面となっている。そのコーナー面２０に操作・表示部（図示せず）が設けられている。なお、操作・表示部とは、少なくとも操作部又は表示部となる構成部品が設けられた全てのものを含む。
本形態のコーナー面２０には、前記三壁面のうち二壁面（第２壁面１２、第３壁面１３）によって形作られるべき直線状の稜線１６と実質的に平行に形成された平行面部２１と、その平行面部２１から前記稜線１６へ連続するように設けられた傾斜面部２２とを備える。なお、この傾斜面部２２は、平行面部２１と稜線１６との間にあるため、略三角形の面となっている。
これによれば、平行面部２１によって操作・表示部の面を広く好適に確保でき、傾斜面部２２によって剛性と強度を好適に得ることができる。
なお、本発明にかかるコーナー面とは、実質的に傾斜面部２２のみを備えるものも含まれる。【００１７】
このようにコーナー面２０に操作・表示部が設けられるため、ケーシング１０の無駄なスペースとなり易い角部を有効に利用できる。すなわち、操作・表示部の配設スペースを好適に確保でき、装置全体の設計の自由度を高めることができる。従って、例えば、装置全体の小型化が可能になる。
また、角部のコーナー面２０に操作・表示部が配設されるため、操作・表示部を二方向から視認することができる。これによれば、装置の保守管理の際に有効であると共に、装置の設置方向の制約を緩和できるという利点がある。
さらに、操作・表示部はケーシング１０の各壁面より引き込んだ位置に配されることになり、その操作・表示部が輸送の際を含めて損傷しにくくなる。【００１８】
また、本形態のコーナー面２０は、図２に示すように、前記角部を切り欠いたケーシング本体１５の切欠部１７へ脱着可能に装着されると共に、その切欠部１７を塞ぐコーナー部材３０に形成されている。なお、ケーシング１０は、ケーシング本体１５とコーナー部材３０とによって形成されている。また、切欠部１７が形成された部分は、ケーシング本体１５を構成する一方の箱体１５ａの角部である。
これによれば、操作・表示部が設けられるコーナー面２０を簡便に設けることができると共に、分解できるため保守管理や解体の際にも有効である。【００１９】
ケーシング本体１５の切欠部１７は、第２壁面１２と第３壁面１３によって形作られるべき直線状の稜線１６の中途部まで切り欠かれて設けられている。
そして、ケーシング本体１５は、前記二壁面以外の壁面（第１壁面１１）を形成する壁部材に設けられた第１の係合孔２６と、稜線１６の中途部であってケーシング１０の内側に形成されてコーナー部材３０を受ける受部と、その受部に設けられた第２の係合孔２７とを備える。【００２０】
また、コーナー部材３０は、図２、４、５、７に示すように、一端部側に第１の係合孔２６へ外側から挿入することで係合するように突起された第１の係合突起３１と、他端部側に第２の係合孔２７へ係合するように第１の係合突起３１と同一方向へ突起された第２の係合突起３２とを備える。
各係合突起３１、３２は、各係合孔２６、２７への挿入途中では弾性変形すると共にその各係合孔２６、２７へ完全に挿入された際には復帰して抜け止めとなるように弾性材で形成された抜け止め片３３を備える。なお、通常は、各係合孔２６、２７が設けられる部材面に対して直交する方向から各係合突起３１、３２が挿入されて嵌め込まれるとよい。【００２１】
本形態のケーシング１０は、図１に示すように金属板材によって形成された縦長の直方体であって、図２に示すように第１の係合孔２６は天板の一部分となる水平壁板部１１ａに設けられている。また、第２の係合孔２７は水平壁板部１１ａに平行に設けられた受板部１８に設けられている。すなわち、受板部１８の上面は水平な受面となっている。なお、水平壁板部１１ａが前記の第１壁面１１を形成する壁部材に該当し、受板部１８が前記の受部に該当する。
このように各係合孔２６、２７が設けられているため、各係合突起３１、３２は各係合孔２６、２７へ鉛直方向に挿入される。
なお、本形態の平行面部２１は稜線１６と平行な鉛直面となっているが、本発明はこれに限定されず、例えば稜線１６が水平線と平行な場合には図１を９０°回転させた状態となって平行面部２１が斜面となる。【００２２】
受板部１８は、図２に示すように、第２壁面１２と第３壁面１３を形成する壁板材（金属板材）が直角に折り曲げられた折曲部１２ａ、１３ａによって設けられている。これにより、ケーシング本体の材料を有効に活用できる。また、加工も容易であり、製造コストを低減できる。
この受板部１８には、一対の貫通孔２７ａ、２７ｂが設けられており、それによって第２の係合孔２７が構成されている。従って、実質的に二点の係合部分となっている。なお、各係合孔２６、２７及びこれに対応する各係合突起３１、３２は複数が設けられても良い。【００２３】
また、各係合突起３１、３２は、樹脂材によって形成され、例えば図４に示すように「レ」の字状跳ね上げ先端が自由端に形成された抜け止め片３３を有するとよい。また、この抜け止め片３３は一対が左右対称の形状に設けられているためバランスよく係合できる。なお、第２の係合突起３２は、一対の離間した突起部３２ａ、３２ｂによって構成されており、実質的に二点の係合部分となっている。
これによれば、抜け止めの機能を確実に発揮できる。そして、コーナー部材３０を取り外す際には、一対の抜け止め片３３、３３が狭まるように挟圧すればよく、容易に脱着できる。
また、各係合突起３１、３２の根元部分に台状の凸段差部分となるように設けられた台状部３４が、対応する各係合孔２６、２７に嵌合するので、高精度な位置決め固定ができる。
なお、係合構造はこれに限らず、他の公知の係合手段或いは固着手段を適宜選択的に採用してもよいのは勿論である。例えば、ケーシング本体１５側に抜け止め防止手段を設けてもよいし、別体の抜け止め部材を用いて係合部と被係合部との間を係合させてもよい。【００２４】
このように各係合突起３１、３２及び各係合孔２６、２７が設けられているため、一方向へ押圧・挿入することで、それぞれの箇所で略同時に係合される。つまり、コーナー部材３０がケーシング本体１５へワンタッチで嵌め込まれて固定される。このため、容易に組み立てることができる。また、容易に取り外すこともできる。従って、製造コスト、保守管理や解体のコストを低減できる。【００２５】
さらに、本形態の第１の係合孔２６と第２の係合孔２７は、鉛直方向に離間していると共に図２に示すように水平方向にも離間している。つまり、階段状に配された二つの水平板材のうち、上段の板材に第１の係合孔２６が設けられ、下段の板材に第２の係合孔２７が設けられた形態となっているため、上記のような位置関係となっている。【００２６】
また、本形態のコーナー部材３０に設けられた第１の係合突起３１と第２の係合突起３２は、第１の係合孔２６と第２の係合孔２７に対応して、図５に示すように鉛直方向に離間していると共に水平方向にも離間している。つまり、コーナー部材３０は、略階段形状に形成されており、上端部に水平な第１の下面３５ａを有する天板部３５と、下端部に水平な第２の下面３６ａを有する底部３６が設けられている。そして、第１の下面３５ａから第１の係合突起３１が下方へ突起し、第２の下面３６ａから第２の係合突起３２が下方へ突起しているため、上記のような位置関係となっている。
また、３７は枠部であり、この枠部３７上にコーナー面２０（平行面部２１及び傾斜面部２２）が形成されており、コーナー部材３０の剛性と強度を確保している。
これによれば、コーナー面２０を好適に設けると共に、コーナー部材３０をケーシング本体１５へバランスよく固定できる形状となっている。【００２７】
また、コーナー部材３０は、図８に示すように、複数の装着部品の形状に対応すべく、その装着部品の装着される部分の形状が一部を切除することで変更可能に設けられ、その切除部４０を切り離し容易に接続する接続部４１を備えてもよい。
さらに好ましくは、コーナー部材３０は、樹脂成形品であり、接続部４１はランナー状に形成され、その接続部４１の周囲にはニッパー等の切刃が挿入可能に空きスペース４２が設けられているとよい。【００２８】
図８に示すコーナー部材３０によれば、樹脂成形されたままの何も切除されない状態で、発光素子（ＬＥＤ等）が固定用孔４３に嵌められて装着される。
そして、円形の切除部４０を切除すれば、その円形スペースに圧力計を嵌合させて装着することができる。なお、接続部４１の周囲には、ニッパーの切刃が入るように、その切刃の断面形状に沿ったＲ状に切り欠かれた空きスペース４２が設けられ、その部分が嵌め込まれる丸形の圧力計の外形より外側へ広がっている。これにより、接続部４１を切断しても、圧力計の外周に干渉する出っ張りが生じることを防止できる。従って、圧力計をスムースに嵌め込むことができる。【００２９】
このコーナー部材３０によれば、発光素子によるデジタル表示と、丸形の圧力計によるアナログ表示のどちらにも対応できる。このデジタル用とアナログ用の共用化によって管理工数を含めた製造コストの削減ができる。
なお、このコーナー部材３０の切除部４０の下側に設けられた貫通孔４５は、スイッチを装着するためのものである。【００３０】
以上、本発明につき好適な実施の形態例を挙げて種々説明してきたが、本発明はこの実施の形態例に限定されるものではなく、発明の精神を逸脱しない範囲内で多くの改変を施し得るのは勿論のことである。
【図１】
0004717070.tif 000002
【図２】
0004717070.tif 000003
【図３】
0004717070.tif 000004
【図４】
0004717070.tif 000005
【図５】
0004717070.tif 000006
【図６】
0004717070.tif 000007
【図７】
0004717070.tif 000008
【図８】
0004717070.tif 000009
【図９】
0004717070.tif 000010